(57)【要約】      （修正有）【課題】サイト運営者から、サイト訪問者が所期しない案内や広告といった情報が提供されるのを抑制サイト設置型匿名フォーム処理装置及びサイト設置型匿名フォーム処理プログラムを提供する。【解決手段】サイト設置型匿名フォーム処理装置１は、サイト訪問者がサイトにアクセスした際に、サイトに問い合わせフォームを表示させる問い合わせフォーム表示部と、サイト訪問者からの問い合わせメッセージを受付ける問い合わせ受付部と、サイト訪問者から、問い合わせフォームからの回答メッセージを受け取る返信手段を受付ける返信手段受付部と、サイト運営者からの回答メッセージを、サイト訪問者に回答する問い合わせ回答部と、を備える。返信手段受付部が受付けた返信手段は、サイト運営者が取得不能とされている。【選択図】図１
2020009007.tif 000002
【特許請求の範囲】
【請求項１】
サイト訪問者がサイトにアクセスした際に、前記サイトに問い合わせフォームを表示させる問い合わせフォーム表示部と、
サイト訪問者からの問い合わせメッセージを受付ける問い合わせ受付部と、
サイト訪問者から、前記問い合わせフォームからの回答メッセージを受け取る返信手段を受付ける返信手段受付部と、
サイト運営者からの回答メッセージを、サイト訪問者に回答する問い合わせ回答部と、を備え、
前記返信手段受付部が受付けた前記返信手段は、サイト運営者が取得不能とされているサイト設置型匿名フォーム処理装置。
【請求項２】
サイト運営者からの回答メッセージを受信する回答メッセージ受信部を更に備え、
前記問い合わせ回答部は、前記問い合わせ受付部が、サイト訪問者から問い合わせメッセージを受付けた時刻と、前記回答メッセージ受信部が、サイト運営者から回答メッセージを受付けた時刻と、を比較して、前記回答メッセージをサイト訪問者に回答するか否かを判断することを特徴とする請求項１に記載のサイト設置型匿名フォーム処理装置。
【請求項３】
前記返信手段受付部にサイト訪問者からの前記返信手段の入力がない場合に、サイト運営者からの回答メッセージを格納する回答メッセージ格納部を備え、
前記回答メッセージ格納部は、サイト訪問者がその後に前記サイトを訪問した際に、格納した前記回答メッセージを、前記サイトに表示することを特徴とする請求項１又は２に記載のサイト設置型匿名フォーム処理装置。
【請求項４】
前記返信手段受付部は、前記返信手段として、サイト訪問者から外部メッセージングサービスとの連携を行うための連携用コードを受付ける連携用コード受付部と、
サイト訪問者から受付けた前記連携用コードに基づいて、連携用トークンを生成する連携用トークン生成部と、を備え、
前記問い合わせ回答部は、サイト運営者からの回答メッセージを、前記連携用トークンを用いて前記外部メッセージングサービス経由でサイト訪問者に回答することを特徴とする請求項１から３のいずれか１項に記載のサイト設置型匿名フォーム処理装置。
【請求項５】
サイト訪問者がリアルタイムでオペレータに問い合わせを行うチャットシステムを備え、
前記問い合わせフォーム表示部は、前記チャットシステムのオペレータが問い合わせに対応できないとき、もしくはサイト訪問者が望んだときに、前記サイトに前記問い合わせフォームを表示させることを特徴とする請求項１から請求項４のいずれか１項に記載のサイト設置型匿名フォーム処理装置。
【請求項６】
前記チャットシステムは、前記オペレータとして対応するチャットボットを備えていることを特徴とする請求項５に記載のサイト設置型匿名フォーム処理装置。
【請求項７】
コンピュータに、
サイト訪問者がサイトにアクセスした際に、前記サイトに問い合わせフォームを表示させる問い合わせフォーム表示機能と、
サイト訪問者からの問い合わせメッセージを受付ける問い合わせ受付機能と、
サイト訪問者から、前記問い合わせフォームからの回答メッセージを受け取る返信手段を受付ける返信手段受付機能と、
サイト運営者からの回答メッセージを、サイト訪問者に回答する問い合わせ回答機能と、を実現させ、
前記返信手段受付機能が受付けた前記返信手段は、サイト運営者が取得不能とされているサイト設置型匿名フォーム処理プログラム。
【発明の詳細な説明】
【技術分野】
【０００１】
本発明は、サイト設置型匿名フォーム処理装置、およびサイト設置型匿名フォーム処理プログラムに関する。
【背景技術】
【０００２】
従来、サイト訪問者が所望の問い合わせを行うための問い合わせシステムが知られている。
このような問い合わせシステムとして、特許文献１には、ネットワーク通信を可能とした構成が開示されている。
【先行技術文献】
【特許文献】
【０００３】
【特許文献１】特開２０１１―２５７８６０号公報
【発明の概要】
【発明が解決しようとする課題】
【０００４】
しかしながら、前記従来の問い合わせシステムでは、サイト運営者が、サイト訪問者が所望していない案内や広告といった情報を、サイト訪問者の情報を用いて提供することができ、サイト訪問者の利便性に改善の余地があった。
【０００５】
そこで、本発明は、サイト運営者から、サイト訪問者が所期しない案内や広告といった情報が提供されるのを抑制することができるサイト設置型匿名フォーム処理装置を提供することを目的とする。
【課題を解決するための手段】
【０００６】
前述した課題を解決するために、本発明のサイト設置型匿名フォーム処理装置は、サイト訪問者がサイトにアクセスした際に、前記サイトに問い合わせフォームを表示させる問い合わせフォーム表示部と、サイト訪問者からの問い合わせメッセージを受付ける問い合わせ受付部と、サイト訪問者から、前記問い合わせフォームからの回答メッセージを受け取る返信手段を受付ける返信手段受付部と、サイト運営者からの回答メッセージを、サイト訪問者に回答する問い合わせ回答部と、を備え、前記返信手段受付部が受付けた前記返信手段は、サイト運営者が取得不能とされている。
【０００７】
また、サイト運営者からの回答メッセージを受信する回答メッセージ受信部を更に備え、前記問い合わせ回答部は、前記問い合わせ受付部が、サイト訪問者から問い合わせメッセージを受付けた時刻と、前記回答メッセージ受信部が、サイト運営者から回答メッセージを受付けた時刻と、を比較して、前記回答メッセージをサイト訪問者に回答するか否かを判断してもよい。
【０００８】
また、前記返信手段受付部にサイト訪問者からの前記返信手段の入力がない場合に、サイト運営者からの回答メッセージを格納する回答メッセージ格納部を備え、前記回答メッセージ格納部は、サイト訪問者がその後に前記サイトを訪問した際に、格納した前記回答メッセージを、前記サイトに表示してもよい。
【０００９】
また、前記返信手段受付部は、前記返信手段として、サイト訪問者から外部メッセージングサービスとの連携を行うための連携用コードを受付ける連携用コード受付部と、サイト訪問者から受付けた前記連携用コードに基づいて、連携用トークンを生成する連携用トークン生成部と、を備え、前記問い合わせ回答部は、サイト運営者からの回答メッセージを、前記連携用トークンを用いて前記外部メッセージングサービス経由でサイト訪問者に回答してもよい。
【００１０】
また、サイト訪問者がリアルタイムでオペレータに問い合わせを行うチャットシステムを備え、前記問い合わせフォーム表示部は、前記チャットシステムのオペレータが問い合わせに対応できないとき、もしくはサイト訪問者が望んだときに、前記サイトに前記問い合わせフォームを表示させてもよい。
【００１１】
また、前記チャットシステムは、前記オペレータとして対応するチャットボットを備えてもよい。
【００１２】
また、本発明のサイト設置型匿名フォーム処理プログラムは、コンピュータに、サイト訪問者がサイトにアクセスした際に、前記サイトに問い合わせフォームを表示させる問い合わせフォーム表示機能と、サイト訪問者からの問い合わせメッセージを受付ける問い合わせ受付機能と、サイト訪問者から、前記問い合わせフォームからの回答メッセージを受け取る返信手段を受付ける返信手段受付機能と、サイト運営者からの回答メッセージを、サイト訪問者に回答する問い合わせ回答機能と、を実現させ、前記返信手段受付機能が受付けた前記返信手段は、サイト運営者が取得不能とされている。
【発明の効果】
【００１３】
本発明のサイト設置型匿名フォーム処理装置によれば、サイト訪問者から、問い合わせフォームからの回答メッセージを受け取る返信手段を受付ける返信手段受付部を備えている。そして、返信手段受付部が受付けた返信手段は、サイト運営者が取得不能とされているので、サイト運営者は、サイト訪問者からの問い合わせと直接関係のない情報を、サイト訪問者に提供することができない。これにより、サイト運営者から、サイト訪問者が所期しない案内や広告といった情報が提供されるのを抑制することができる。
【図面の簡単な説明】
【００１４】
【図１】本発明の第１実施形態に係るサイト設置型匿名フォーム処理装置の構成を示すブロック図である。
【図２】本発明の第２実施形態に係るサイト設置型匿名フォーム処理装置の構成を示すブロック図である。
【図３】本発明の第３実施形態に係るサイト設置型匿名フォーム処理装置の構成を示すブロック図である。
【図４】図３に示すサイト設置型匿名フォーム処理装置の変形性を示す図である。
【発明を実施するための形態】
【００１５】
（第１実施形態）
以下、図１を参照して本発明の第１実施形態に係るサイト設置型匿名フォーム処理装置１について説明する。
図１に示すように、本実施形態に係るサイト設置型匿名フォーム処理装置１は、問い合わせフォーム表示部１０、問い合わせ受付部２０、返信手段受付部３０、および問い合わせ回答部４０を備えている。
【００１６】
問い合わせフォーム表示部１０は、サイト訪問者がサイトにアクセスした際に、サイトに問い合わせフォームを表示させる。
問い合わせフォーム表示部１０は、フォームデータリクエスト受信部１１とフォームデータ格納部１２とを備えている。
【００１７】
フォームデータリクエスト受信部１１は、サイト訪問者がサイトにアクセスした際に、サイトにフォームを表示させるためのフォーム呼び出しコードを受信する。
フォームデータ格納部１２には、フォームデータが格納されている。そしてフォームデータ格納部１２は、フォームデータリクエスト受信部１１が受信したフォーム呼び出しコードに基づいて、フォームデータをサイトに出力する。
【００１８】
問い合わせ受付部２０は、サイト訪問者からの問い合わせメッセージを受付ける。問い合わせ受付部２０は、問い合わせメッセージ受信部２１と問い合わせメッセージ格納部２２とを備えている。
問い合わせメッセージ受信部２１は、サイト訪問者からの問い合わせメッセージを受信する。
問い合わせメッセージ格納部２２は、問い合わせメッセージ受信部２１が受信した問い合わせメッセージを格納する。
【００１９】
返信手段受付部３０は、サイト訪問者から、問い合わせフォームからの回答メッセージを受け取る返信手段を受付ける。返信手段受付部３０は、サイト訪問者が問い合わせをするとき、又はその前後に、サイト訪問者に返信手段の入力を促す。
返信手段受付部３０は、返信手段受信部３１と返信手段格納部３２とを備えている。返信手段受信部３１には、サイト訪問者が問い合わせメッセージへの回答を受け取る手段を入力する。サイト訪問者は、返信手段として、例えばメールアドレスを入力することができる。返信手段格納部３２に、返信手段受信部３１に入力された返信手段が格納される。
【００２０】
問い合わせ回答部４０は、サイト運営者からの回答メッセージを、サイト訪問者に回答する。問い合わせ回答部４０は、回答メッセージ送信部４１と回答メッセージ加工部４２とを備えている。
回答メッセージ加工部４２は、返信手段受信部３１が受信したサイト運営者からの回答メッセージを加工する。回答メッセージへの加工として、サイト運営者の情報を付加したり、回答メッセージに対する返信をおこなうためのＵＲＬを付加したりすることができる。
回答メッセージ送信部４１は、回答メッセージを返信手段格納部３２に格納された返信手段に従い、サイト訪問者に返信する。
【００２１】
また、サイト設置型匿名フォーム処理装置１は、問い合わせメッセージ取得部５０と、回答メッセージ受信部６０と、を備えている。
問い合わせメッセージ取得部５０は、問い合わせメッセージ格納部２２に格納された問い合わせメッセージを取得する。回答メッセージ受信部６０は、サイト運営者からの回答メッセージを受信する。
【００２２】
そして本実施形態では、返信手段受付部３０が受付けた返信手段は、サイト運営者が取得不能とされている。すなわち、サイト運営者は返信手段受付部３０に直接アクセスすることがないので、サイト運営者がサイト訪問者への返信手段を取得することができない構造となっている。
【００２３】
また、問い合わせ回答部４０は、問い合わせ受付部２０が、サイト訪問者から問い合わせメッセージを受付けた時刻と、回答メッセージ受信部６０が、サイト運営者から回答メッセージを受付けた時刻と、を比較して、回答メッセージをサイト訪問者に回答するか否かを判断する。
すなわち、サイト訪問者から問い合わせメッセージを受付けた時刻から、予め設定した一定の時刻が経過した後には、問い合わせメッセージと直接関係がない広告等の情報であると判断し、回答メッセージをサイト訪問者に回答しない。
【００２４】
また、サイト設置型匿名フォーム処理装置１は、回答メッセージ格納部７０を備えている。回答メッセージ格納部７０は、返信手段受付部３０にサイト訪問者からの返信手段の入力がない場合に、サイト運営者からの回答メッセージを格納する。
そして、回答メッセージ格納部７０は、サイト訪問者がその後にサイトを訪問した際に、格納した回答メッセージを、サイトに表示する。
【００２５】
ここで、サイト設置型匿名フォーム処理装置１は、プログラム内のコードや命令によって所定の機能を実行するための図示しない中央処理装置（ＣＰＵ）により制御されている。
なお、サイト設置型匿名フォーム処理装置１は、中央処理装置に代えて、例えば、マイクロプロセッサやマルチプロセッサ、ＡＳＩＣ、ＦＰＧＡなどにより制御されてもよい。
【００２６】
また、サイト設置型匿名フォーム処理装置１は、ソフトウェアによって実現されている。そして、サイト設置型匿名フォーム処理装置１は、１つのプログラムファイルによって前述した各機能が実現されてもよいし、ネットワーク等を介して実現されてもよい。
例えば、サイト設置型匿名フォーム処理装置１は、その機能の一部または全部をクラウドコンピューティングシステムによって提供されるクラウドサービス等、仮想的な装置によって実現するものであってもよい。
【００２７】
以上説明したように、本実施形態に係るサイト設置型匿名フォーム処理装置１によれば、
サイト訪問者から、問い合わせフォームからの回答メッセージを受け取る返信手段を受付ける返信手段受付部３０を備えている。
そして、返信手段受付部３０が受付けた返信手段は、サイト運営者が取得不能とされているので、サイト運営者は、サイト訪問者からの問い合わせと直接関係のない情報を、サイト訪問者に提供することができない。これにより、サイト運営者から、サイト訪問者が所期しない案内や広告といった情報が提供されるのを抑制することができる。
【００２８】
また、問い合わせ回答部４０が、サイト訪問者から問い合わせメッセージを受付けた時刻と、サイト運営者から回答メッセージを受付けた時刻と、を比較して、回答メッセージをサイト訪問者に回答するか否かを判断している。このため、サイト訪問者が問い合わせを行った時点からしばらく時間が経過したのちに、サイト運営者が問い合わせと直接関係のない情報をサイト訪問者に提供するのを回避することができる。
【００２９】
また、回答メッセージ格納部７０がサイト運営者からの回答メッセージを格納し、その後にサイト訪問者がサイトを訪問した際に、格納した回答メッセージをサイトに表示するので、サイト訪問者が、回答メッセージを確認するタイミングを自分で管理することが可能になり、サイト訪問者の利便性を向上することができる。
【００３０】
（第２実施形態）
次に、図２を参照して本発明の第２実施形態に係るサイト設置型匿名フォーム処理装置２について説明する。
図２に示すように、本実施形態に係るサイト設置型匿名フォーム処理装置２では、返信手段受付部３０は、連携用コード受付部３３と連携用トークン生成部３４とを備えている。
【００３１】
連携用コード受付部３３は、返信手段として、サイト訪問者から外部メッセージングサービスとの連携を行うための連携用コードを受付ける。すなわち、ウェブブラウザにおいて、外部メッセージングサービスにおける連携許可用のウェブページに、サイト訪問者がアクセスをする。そしてサイト訪問者が、権限許可の操作を行うと、作成された連携用コードが、ウェブブラウザから返信手段受付部３０に転送される。
【００３２】
連携用トークン生成部３４は、サイト訪問者から受付けた連携用コードに基づいて、連携用トークンを生成する。
そして、問い合わせ回答部４０は、サイト運営者からの回答メッセージを、連携用トークンを用いて外部メッセージングサービス経由でサイト訪問者に回答する。
【００３３】
以上説明したように、本実施形態に係るサイト設置型匿名フォーム処理装置２によれば、連携用コード受付部３３と連携用トークン生成部３４とを備えている。このため、外部メッセージングサービスを利用して、サイト訪問者に回答を行うことができる。これにより、汎用性の高い外部メッセージングサービスを選択することで、サイト訪問者の利便性をより一層効果的に向上することができる。
【００３４】
（第３実施形態）
次に、図３を参照して本発明の第３実施形態に係るサイト設置型匿名フォーム処理装置３について説明する。
図３に示すように、本実施形態に係るサイト設置型匿名フォーム処理装置３では、サイト訪問者がリアルタイムでオペレータに問い合わせを行うチャットシステム８０を備えている。
【００３５】
チャットシステム８０は、メッセージを互いに送受信することで、リアルタイムでオペレータからの回答メッセージを確認することができる。オペレータは人であってもよいし、機械（チャットボット）であってもよい。すなわち、チャットシステム８０は、オペレータとして対応するチャットボットを備えてもよい。
【００３６】
そして本実施形態では、問い合わせフォーム表示部１０は、チャットシステム８０のオペレータが問い合わせに対応できないときに、もしくはサイト訪問者が望んだときに、サイトに問い合わせフォームを表示させる。
すなわち、本実施形態に係るサイト設置型匿名フォーム処理装置３では、例えば、オペレータの担当者が不在であったり、チャットボットが対応できない問い合わせがなされたりしたときに、チャットシステム８０による回答に代えて、問い合わせフォームを表示することができる。
またサイト訪問者が、例えば、チャットボットからの回答に不安を感じ、問い合わせフォームによる問い合わせを希望した際に、問い合わせフォームを表示することができる。
【００３７】
ここで、本実施形態に係るサイト設置型匿名フォーム処理装置３の変形例として、図４に示すサイト設置型匿名フォーム処理装置４では、返信手段受付部３０が、連携用コード受付部３３と連携用トークン生成部３４とを備えていてもよい。この場合には、チャットシステム８０のオペレータが問い合わせに対応できないときに、連携用コード受付部３３がサイト訪問者から連携用コードを受付ける。
【００３８】
以上説明したように、本実施形態に係るサイト設置型匿名フォーム処理装置３では、チャットシステム８０を備えているとともに、問い合わせフォーム表示部１０は、チャットシステム８０のオペレータが問い合わせに対応できないときに、サイトに問い合わせフォームを表示させる。
このため、チャットシステム８０のオペレータが問い合わせに対応できるときは、リアルタイムでのサイト訪問者への返信が可能になり、サイト訪問者に迅速に回答を行うことができる。
【００３９】
なお、上述の実施形態は、本発明の代表的な実施形態を単に例示したものにすぎない。従って、本発明の趣旨を逸脱しない範囲において、上述の実施形態に対して種々の変形を行ってもよい。
【００４０】
例えば、上記実施形態においては、問い合わせ回答部４０が、サイト訪問者から問い合わせメッセージを受付けた時刻と、サイト運営者から回答メッセージを受付けた時刻と、を比較して、回答メッセージをサイト訪問者に回答するか否かを判断する構成を示したが、このような態様に限られない。問い合わせ回答部４０は、問い合わせメッセージを受付けた時刻と、回答メッセージを受付けた時刻と、を比較して回答するか否かを判断しなくてもよい。
【００４１】
また、上記実施形態においては、回答メッセージ格納部７０が、サイト訪問者がその後にサイトを訪問した際に、格納した回答メッセージをサイトに表示する構成を示したが、このような態様に限られない。回答メッセージ格納部７０は、サイト訪問者がその後にサイトを訪問した際に、格納した回答メッセージをサイトに表示しなくてもよい。
【００４２】
また、本実施形態で説明した機能を実現するためのプログラムを、コンピュータ読み取り可能な記録媒体に記録して、当該記録媒体に記録されたプログラムをコンピュータシステムに読み込ませ、実行することにより、本実施形態の上述した種々の処理を行ってもよい。なお、ここでいう「コンピュータシステム」とは、ＯＳや周辺機器等のハードウェアを含むものであってもよい。
【００４３】
また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００４４】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
【００４５】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現するもの、いわゆる差分ファイル（差分プログラム）であっても良い。
【００４６】
また、前述した変形例に限られず、これらの変形例を選択して適宜組み合わせてもよいし、その他の変形を施してもよい。
【符号の説明】
【００４７】
１  サイト設置型匿名フォーム処理装置
１０  問い合わせフォーム表示部
２０  問い合わせ受付部
３０  返信手段受付部
４０  問い合わせ回答部
７０  回答メッセージ格納部
８０  チャットシステム
【図１】
2020009007.tif 000003
【図２】
2020009007.tif 000004
【図３】
2020009007.tif 000005
【図４】
2020009007.tif 000006
【手続補正書】
【提出日】平成30年12月3日(2018.12.3)
【手続補正１】
【補正対象書類名】特許請求の範囲
【補正対象項目名】全文
【補正方法】変更
【補正の内容】
【特許請求の範囲】
【請求項１】
サイト訪問者がサイトにアクセスした際に、前記サイトに問い合わせフォームを表示させる問い合わせフォーム表示部と、
サイト訪問者からの問い合わせメッセージを受付ける問い合わせ受付部と、
サイト訪問者から、前記問い合わせフォームからの回答メッセージを受け取る返信手段を受付ける返信手段受付部と、
サイト運営者からの回答メッセージを、サイト訪問者に回答する問い合わせ回答部と、を備え、
前記返信手段受付部が受付けた前記返信手段は、サイト運営者が取得不能とされ、
前記問い合わせ回答部は、サイト運営者からの回答メッセージに対する返信をおこなうためのＵＲＬを、回答メッセージに付加する回答メッセージ加工部を備えているサイト設置型匿名フォーム処理装置。
【請求項２】
サイト運営者からの回答メッセージを受信する回答メッセージ受信部を更に備え、
前記問い合わせ回答部は、前記問い合わせ受付部が、サイト訪問者から問い合わせメッセージを受付けた時刻と、前記回答メッセージ受信部が、サイト運営者から回答メッセージを受付けた時刻と、を比較して、前記回答メッセージをサイト訪問者に回答するか否かを判断することを特徴とする請求項１に記載のサイト設置型匿名フォーム処理装置。
【請求項３】
前記返信手段受付部にサイト訪問者からの前記返信手段の入力がない場合に、サイト運営者からの回答メッセージを格納する回答メッセージ格納部を備え、
前記回答メッセージ格納部は、サイト訪問者がその後に前記サイトを訪問した際に、格納した前記回答メッセージを、前記サイトに表示することを特徴とする請求項１又は２に記載のサイト設置型匿名フォーム処理装置。
【請求項４】
サイト訪問者がサイトにアクセスした際に、前記サイトに問い合わせフォームを表示させる問い合わせフォーム表示部と、
サイト訪問者からの問い合わせメッセージを受付ける問い合わせ受付部と、
サイト訪問者から、前記問い合わせフォームからの回答メッセージを受け取る返信手段を受付ける返信手段受付部と、
サイト運営者からの回答メッセージを、サイト訪問者に回答する問い合わせ回答部と、
前記返信手段受付部にサイト訪問者からの前記返信手段の入力がない場合に、サイト運営者からの回答メッセージを格納する回答メッセージ格納部と、を備え、
前記返信手段受付部が受付けた前記返信手段は、サイト運営者が取得不能とされ、
前記回答メッセージ格納部は、サイト訪問者がその後に前記サイトを訪問した際に、格納した前記回答メッセージを、前記サイトに表示することを特徴とするサイト設置型匿名フォーム処理装置。
【請求項５】
前記返信手段受付部は、前記返信手段として、サイト訪問者から外部メッセージングサービスとの連携を行うための連携用コードを受付ける連携用コード受付部と、
サイト訪問者から受付けた前記連携用コードに基づいて、連携用トークンを生成する連携用トークン生成部と、を備え、
前記問い合わせ回答部は、サイト運営者からの回答メッセージを、前記連携用トークンを用いて前記外部メッセージングサービス経由でサイト訪問者に回答することを特徴とする請求項１から４のいずれか１項に記載のサイト設置型匿名フォーム処理装置。
【請求項６】
サイト訪問者がリアルタイムでオペレータに問い合わせを行うチャットシステムを備え、
前記問い合わせフォーム表示部は、前記チャットシステムのオペレータが問い合わせに対応できないとき、もしくはサイト訪問者が望んだときに、前記サイトに前記問い合わせフォームを表示させることを特徴とする請求項１から請求項５のいずれか１項に記載のサイト設置型匿名フォーム処理装置。
【請求項７】
サイト訪問者がリアルタイムでオペレータに問い合わせを行うチャットシステムを備え、
前記チャットシステムは、前記オペレータとして対応するチャットボットを備え、
前記問い合わせフォーム表示部は、前記チャットボットが対応できない問い合わせがなされた場合、又はサイト訪問者が前記問い合わせフォームによる問い合わせを希望した際に、前記チャットボットによる回答に代えて、前記問い合わせフォームを表示することを特徴とする請求項１から６のいずれか１項に記載のサイト設置型匿名フォーム処理装置。
【請求項８】
コンピュータに、
サイト訪問者がサイトにアクセスした際に、前記サイトに問い合わせフォームを表示させる問い合わせフォーム表示機能と、
サイト訪問者からの問い合わせメッセージを受付ける問い合わせ受付機能と、
サイト訪問者から、前記問い合わせフォームからの回答メッセージを受け取る返信手段を受付ける返信手段受付機能と、
サイト運営者からの回答メッセージを、サイト訪問者に回答する問い合わせ回答機能と、を実現させ、
前記返信手段受付機能が受付けた前記返信手段は、サイト運営者が取得不能とされ、
前記問い合わせ回答機能において、サイト運営者からの回答メッセージに対する返信をおこなうためのＵＲＬを、回答メッセージに付加する回答メッセージ加工機能を実現させるサイト設置型匿名フォーム処理プログラム。
【手続補正２】
【補正対象書類名】明細書
【補正対象項目名】００２０
【補正方法】変更
【補正の内容】
【００２０】
問い合わせ回答部４０は、サイト運営者からの回答メッセージを、サイト訪問者に回答する。問い合わせ回答部４０は、回答メッセージ送信部４１と回答メッセージ加工部４２とを備えている。
回答メッセージ加工部４２は、後述する回答メッセージ受信部６０が受信したサイト運営者からの回答メッセージを加工する。回答メッセージへの加工として、サイト運営者の情報を付加したり、回答メッセージに対する返信をおこなうためのＵＲＬを付加したりすることができる。
【手続補正書】
【提出日】平成31年4月2日(2019.4.2)
【手続補正１】
【補正対象書類名】特許請求の範囲
【補正対象項目名】全文
【補正方法】変更
【補正の内容】
【特許請求の範囲】
【請求項１】
サイト訪問者がサイトにアクセスした際に、前記サイトに問い合わせフォームを表示させる問い合わせフォーム表示部と、
サイト訪問者からの問い合わせメッセージを受付ける問い合わせ受付部と、
サイト訪問者から、前記問い合わせフォームからの回答メッセージを受け取る返信手段を受付ける返信手段受付部と、
サイト運営者からの回答メッセージを、サイト訪問者に回答する問い合わせ回答部と、
前記返信手段受付部にサイト訪問者からの前記返信手段の入力がない場合に、サイト運営者からの回答メッセージを格納する回答メッセージ格納部と、を備え、
前記返信手段受付部が受付けた前記返信手段は、サイト運営者が取得不能とされ、
前記回答メッセージ格納部は、サイト訪問者がその後に前記サイトを訪問した際に、格納した前記回答メッセージを、前記サイトに表示することを特徴とするサイト設置型匿名フォーム処理装置。
【請求項２】
コンピューターに、
サイト訪問者がサイトにアクセスした際に、前記サイトに問い合わせフォームを表示させる問い合わせフォーム表示機能と、
サイト訪問者からの問い合わせメッセージを受付ける問い合わせ受付機能と、
サイト訪問者から、前記問い合わせフォームからの回答メッセージを受け取る返信手段を受付ける返信手段受付機能と、
サイト運営者からの回答メッセージを、サイト訪問者に回答する問い合わせ回答機能と、
前記返信手段受付機能にサイト訪問者からの前記返信手段の入力がない場合に、サイト運営者からの回答メッセージを格納する回答メッセージ格納機能と、を実現させ、
前記返信手段受付機能が受付けた前記返信手段は、サイト運営者が取得不能とされ、
前記回答メッセージ格納機能は、サイト訪問者がその後に前記サイトを訪問した際に、格納した前記回答メッセージを、前記サイトに表示することを特徴とするサイト設置型匿名フォーム処理プログラム。